(57)【要約】【課題】本体の設置角度を検出して通知することのできるプロジェクタを得る。【解決手段】映像を投射するプロジェクタ１００であって、入力映像信号に基づき映像を投射する投射部１１０と、当該プロジェクタ１００の傾きを検出する傾き検出手段１２０と、傾き検出手段１２０が検出した傾きを通知する通知手段と、を備える。【選択図】図１
2010066584.tif 000002
【特許請求の範囲】
【請求項１】
映像を投射するプロジェクタであって、
入力映像信号に基づき映像を投射する投射部と、
当該プロジェクタの傾きを検出する傾き検出手段と、
前記傾き検出手段が検出した傾きを通知する通知手段と、
を備えたことを特徴とするプロジェクタ。
【請求項２】
前記通知手段は、
前記傾き検出手段の検出結果を表す情報を表示する表示手段を用いて構成されている
ことを特徴とする請求項１記載のプロジェクタ。
【請求項３】
当該プロジェクタに対する方向操作入力を受け付ける方向操作入力手段を備え、
前記方向操作入力手段は、前記表示手段として、
前記傾き検出手段が検出した傾きを表す情報を当該方向操作入力手段の操作方向と対応付けて表示する傾き表示手段を備えている
ことを特徴とする請求項２記載のプロジェクタ。
【請求項４】
前記傾き表示手段は、単一の方向を表示する単一方向表示手段で構成されており、
前記方向操作入力手段は、操作方向毎に前記傾き表示手段を備えている
ことを特徴とする請求項３記載のプロジェクタ。
【請求項５】
前記傾き表示手段の表示パターンと当該プロジェクタの傾き角度との対応関係データを格納した記憶部を備え、
前記傾き表示手段は、
前記傾き検出手段の検出結果に対応する前記対応関係データを参照し、
該当する前記表示パターンを用いて前記傾き検出手段が検出した傾きを通知する
ことを特徴とする請求項４記載のプロジェクタ。
【請求項６】
前記投射部の動作を制御する制御部を備え、
前記制御部は、
当該プロジェクタの電源がＯＮされたときは前記投射部を起動せず、
前記傾き検出手段の検出結果を取得し前記傾き表示手段を用いて表示する
ことを特徴とする請求項４または請求項５記載のプロジェクタ。
【請求項７】
当該プロジェクタの傾きの指定値を入力する傾き入力手段を備え、
前記通知手段は、
前記傾き検出手段の検出結果と前記指定値の差分を通知する
ことを特徴とする請求項１ないし請求項６のいずれかに記載のプロジェクタ。
【発明の詳細な説明】
【技術分野】
【０００１】
本発明は、プロジェクタに関するものである。
【背景技術】
【０００２】
従来、プロジェクタに関し、特許文献１に、「映像の歪補正のためにプロジェクタの投射光軸に対するスクリーンの垂直方向および水平方向の傾斜角度を簡単な構成で正確に測定できる傾斜角度測定装置を有するプロジェクタを提供する」ことを目的とした技術として「傾斜角度測定装置は、投射面７０に対して垂直方向と水平方向とのそれぞれに、所定の間隔を有する少なくとも２点のポイント８１を投射するレーザポインタ４１と、レーザポインタ４１より垂直方向と水平方向に所定の間隔を置いて配置されてレンズ５１を通して投射面のポイントを撮像可能なデジタルカメラと、デジタルカメラで撮像したポイントを結ぶ直線の基準線との傾斜角度を、撮像素子の撮像画面８０から解析して、その傾斜角度から投影装置の投射光軸２７と投射面７０との傾斜角度を算定する画像解析傾斜角度算定部とを備えている。」というものが提案されている（要約）。
【０００３】
また、投映型表示装置に関し、特許文献２に、「最適な設置方向や設置傾斜角度や設置位置へユーザが投映型表示装置を設置調整するガイドを表示し、ユーザがより簡単に歪みがなく画質の良い投映画像を投映可能とする。」ことを目的とした技術として「投映型表示装置１０前面に設置したエリアセンサ４により検出された被投映面上の画像信号に基づいて、画像判定部５により投映画像の歪みや傾きや位置ずれを判定して、歪みや傾きや位置ずれのない画像を投映可能な最適設置方向や最適設置傾斜角度や最適設置位置に設置調整するためのガイドをＯＳＤ表示部６により投映画像に重畳させて表示する。該ガイドとして、最適設置方向や最適設置傾斜角度や最適設置位置へ投映型表示装置１０を変更すべき向き、傾き、位置の方向を指示するガイドを、あるいは、投映型表示装置１０の現在の設置状態に関して、最適設置方向や最適設置傾斜角度や最適設置位置からのずれを示すガイドを、矢印アイコンを含むアイコンや文字により表示する。」というものが提案されている（要約）。
【０００４】
【特許文献１】特開２００５−４１６５号公報
【特許文献２】特開２００５−２４６６８号公報
【発明の開示】
【発明が解決しようとする課題】
【０００５】
プロジェクタを実際に使用する際には、本体の設置角度を正確に知りたい場合がある。
１例として、プロジェクタを複数台並列に設置し、マルチスクリーンを構成する場合が挙げられる。この場合、各プロジェクタの投射映像の輪郭を均一にする必要があり、各プロジェクタの設置角度を厳密に揃えることが望ましい。
【０００６】
この点、上記特許文献１に記載の技術では、投射光軸２７と投射面７０との傾斜角度を算定することはできるが、プロジェクタ本体の傾きを知ることはできない。また、デジタルカメラのような撮像手段などの構成部を別途備える必要がある。
【０００７】
また、上記特許文献２に記載の技術では、エリアセンサ４を用いて傾きを検出するためには、投映面に画像を投映する必要がある。また、投映画像に基づき傾きを検出しているため、本体の傾きそのものを直接的に検出している訳ではなく、投映画像の歪みを介して間接的に本体の傾きを検出しているに過ぎない。
したがって、本体の傾きそのものを厳密に検出することは困難である。
【０００８】
本発明は、上記のような課題を解決するためになされたものであり、本体の設置角度を検出して通知することのできるプロジェクタを得ることを目的とする。
【課題を解決するための手段】
【０００９】
本発明に係るプロジェクタは、映像を投射するプロジェクタであって、入力映像信号に基づき映像を投射する投射部と、当該プロジェクタの傾きを検出する傾き検出手段と、前記傾き検出手段が検出した傾きを通知する通知手段と、を備えている。
そのため、ユーザはプロジェクタの設置角度を正確に知ることができる。
【００１０】
また、本発明に係るプロジェクタにおいて、前記通知手段は、前記傾き検出手段の検出結果を表す情報を表示する表示手段を用いて構成されている。
そのため、ユーザはプロジェクタの設置角度を視覚的に容易に知ることができる。
【００１１】
また、本発明に係るプロジェクタは、当該プロジェクタに対する方向操作入力を受け付ける方向操作入力手段を備え、前記方向操作入力手段は、前記表示手段として、前記傾き検出手段が検出した傾きを表す情報を当該方向操作入力手段の操作方向と対応付けて表示する傾き表示手段を備えている。
そのため、ユーザはプロジェクタの設置角度を方向操作入力手段の操作方向と対応付けて直感的かつ容易に把握することができる。
【００１２】
また、本発明に係るプロジェクタにおいて、前記傾き表示手段は、単一の方向を表示する単一方向表示手段で構成されており、前記方向操作入力手段は、操作方向毎に前記傾き表示手段を備えている。
そのため、単一方向表示手段を操作方向毎に配置するのみで傾き通知手段を構成することができる。単一方向表示手段は、比較的単純な部品等で構成することができるので、簡易な手段で傾き通知手段を構成し、コストを抑えることができる。
【００１３】
また、本発明に係るプロジェクタは、前記傾き表示手段の表示パターンと当該プロジェクタの傾き角度との対応関係データを格納した記憶部を備え、前記傾き表示手段は、前記傾き検出手段の検出結果に対応する前記対応関係データを参照し、該当する前記表示パターンを用いて前記傾き検出手段が検出した傾きを通知する。
そのため、傾き表示手段の表示パターンで傾き角度を表すことができるので、傾き角度を数値で通知する手段を別途設ける必要がなく、部品点数を少なく維持してコストを抑えることができる。
【００１４】
また、本発明に係るプロジェクタは、前記投射部の動作を制御する制御部を備え、前記制御部は、当該プロジェクタの電源がＯＮされたときは前記投射部を起動せず、前記傾き検出手段の検出結果を取得し前記傾き表示手段を用いて表示する。
そのため、プロジェクタの傾きを通知するために投射部を起動する必要がなく、より短時間で傾きを通知することができる。また、映像を投射するときまで投射部の起動タイミングを遅らせることができるので、省エネの観点からも好ましい。
【００１５】
また、本発明に係るプロジェクタは、当該プロジェクタの傾きの指定値を入力する傾き入力手段を備え、前記通知手段は、前記傾き検出手段の検出結果と前記指定値の差分を通知する。
そのため、プロジェクタの設置角度を水平以外の角度に正確に調整することができる。
【発明を実施するための最良の形態】
【００１６】
実施の形態１．
図１は、本発明の実施の形態１に係るプロジェクタ１００の構成図である。
プロジェクタ１００は、投射部１１０、傾きセンサ１２０、操作入力部１３０、脚部１４０ａ、１４０ｂ、および１４０ｃを備える。また、プロジェクタ１００の全体動作を制御する制御部（図示せず）を備える。
【００１７】
投射部１１０は、光源、投射光学系などの映像投射に必要な構成を適宜備え、入力映像信号を受け取り、その信号に対応した映像をスクリーン等に投射する。
傾きセンサ１２０は、プロジェクタ１００の傾きを３軸方向で検出し、検出結果を制御部に出力する。以下、特に言及することなく「傾き角度」と言うときは、傾き方向と角度の双方を意味するものとする。
【００１８】
操作入力部１３０は、ユーザがプロジェクタ１００に対する操作指示を入力するための操作パネル等で構成されている。操作入力内容は、操作信号として制御部に出力される。
制御部は、操作入力部１３０から受け取った操作信号に基づき、投射部１１０の動作を制御する。また、傾きセンサ１２０の検出結果を受け取り、その検出結果を、後述の図２で説明する手法でユーザに通知する。
【００１９】
制御部は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定するソフトウェアで構成することもできる。
【００２０】
脚部１４０ａ、１４０ｂ、および１４０ｃは、プロジェクタ１００の底面に配置され、プロジェクタ１００を載置するときにプロジェクタ１００本体を支持する。
脚部１４０ａは、底面の前方（投射部１１０の投射方向）寄り、中央部分に配置されている。
脚部１４０ｂは、底面の後方寄り、左端に配置されている。
脚部１４０ｃは、底面の後方寄り、右端に配置されている。
【００２１】
脚部１４０ａ、１４０ｂ、および１４０ｃは、プロジェクタ１００の設置角度を調整するための機構を備える。
例えば、各脚部は、プロジェクタ１００の底面から引き出して長さを可変し、プロジェクタ１００の前後方向や左右方向の傾きを調整するように構成することができる。その他の適当な手法により傾きを調整するように構成してもよい。
【００２２】
図２は、投射部１１０が投射する映像の一例である。図２（ａ）は矢印映像でプロジェクタ１００の傾きを表した例、図２（ｂ）は数値でプロジェクタ１００の傾きを表した例である。
投射部１１０は、プロジェクタ１００に入力される入力映像信号に基づき映像を投射するが、併せて、制御部の指示に基づき傾きセンサ１２０の検出結果を表す情報を投射することもできる。この検出結果は、常時投射するようにしてもよいし、操作入力部１３０を介してユーザからその旨を指示されたときのみ投射するようにしてもよい。
【００２３】
図２の場合、プロジェクタ１００は、前方（投射部１１０の投射方向）を下向きに傾ける方向に傾斜し、さらに左方（脚部１４０ｂが配置されている方）を下向きに傾ける方向に傾斜している。
ユーザは、図２の表示に基づき、脚部１４０ａと１４０ｂの長さを伸ばして、これらの傾きを調整することができる。
【００２４】
制御部は、傾きセンサ１２０の検出結果を例えば所定時間間隔で取得するなどして、プロジェクタ１００の傾きを常時監視している。
ユーザがプロジェクタ１００の傾きを調整すると、傾きセンサ１２０の検出値が変化するので、制御部はその旨を投射映像に反映するよう、投射部１１０に指示する。これにより、ユーザはプロジェクタ１００の設置角度を常に把握し、正確に調整することができる。
【００２５】
本実施の形態１では、スクリーンの投射映像上にプロジェクタ１００の傾き角度を表示することを説明したが、その他の手法を用いて傾き角度を通知することもできる。例えば以下のような手法が考えられる。
【００２６】
（通知手法１）
傾き方向と角度を報知音などの音声で通知する。
例えば、上下左右の傾き方向毎に個別の報知音をプロジェクタ１００内の記憶装置にあらかじめ格納しておき、制御部は、傾きセンサ１２０の検出結果に対応した音声を読み出してスピーカ等から出力する。傾き角度は、例えば報知音の長さや大きさなどで表すことができる。
（通知手法２）
傾き方向と角度をＬＥＤ（Ｌｉｇｈｔ  Ｅｍｉｔｔｉｎｇ  Ｄｉｏｄｅ）で表示する。
例えば、上下左右の傾き方向毎にＬＥＤをプロジェクタ１００の本体表面へ配置しておく。制御部は、傾きセンサ１２０の検出結果に対応した方向のＬＥＤを点灯させる。傾き角度は、例えばＬＥＤの点灯パターンなどで表すことができる。
【００２７】
また、図２では傾き方向と角度を通知する例を示したが、これに代えて傾きを補正すべき方向や角度を通知するようにしてもよい。例えば、図２（ａ）の例では下向きと右向きの矢印を表示することになる。
【００２８】
以上のように、本実施の形態１に係るプロジェクタ１００は、傾きセンサ１２０が検出した傾き角度を通知する手段を備えているので、ユーザはプロジェクタ１００の傾き角度を正確に調整することができる。
【００２９】
実施の形態２．
本発明の実施の形態２では、プロジェクタ１００の傾き角度を通知する手段を操作部１３０に設けた例を説明する。操作部１３０以外の構成は、実施の形態１で説明したものと同様である。
【００３０】
図３は、操作入力部１３０の構成例を示す図である。ここでは、複数の操作キーを備える操作パネルで操作入力部１３０を構成した例を示した。
操作入力部１３０は、各機能キーの他、上キー１３１、左キー１３２、右キー１３３、下キー１３４、センターキー１３５を備える。
【００３１】
各キーは、押下ボタンで構成されている。各キーが押下されると、その内容に対応した操作信号が制御部に出力される。制御部は、その操作信号の内容に対応した制御動作を実行する。
上キー１３１、左キー１３２、右キー１３３、下キー１３４は、例えばカーソルの上下左右の移動など、ユーザがプロジェクタ１００に対する方向操作入力を行うためのものである。センターキー１３５は、例えば確定入力を行うときに用いることができる。
【００３２】
また、上キー１３１、左キー１３２、右キー１３３、下キー１３４は、各操作方向に対応したＬＥＤ表示部１３６、１３７、１３８、１３９をそれぞれ備える。
ＬＥＤ表示部１３６、１３７、１３８、１３９は、例えば三角形や矢印のような各操作方向を指し示す形状で構成してもよいし、単に点灯する機能を有するのみでもよい。
【００３３】
本発明における「傾き表示手段」は、制御部と各ＬＥＤ表示部がこれに相当する。
また、「単一方向表示手段」は、ＬＥＤ表示部がこれに相当する。
【００３４】
以上、本実施の形態２に係るプロジェクタ１００の構成を説明した。
次に、操作部１３０を用いてプロジェクタ１００の傾き方向と角度を通知する手法を説明する。
【００３５】
（傾き方向の通知手法）
制御部は、所定時間間隔で傾きセンサ１２０の検出結果を取得し、その傾き方向に対応したＬＥＤ表示部を点灯させる。例えば、プロジェクタ１００が前傾方向に傾いている場合は、ＬＥＤ表示部１３６を点灯させる。
ユーザがプロジェクタ１００の傾き角度を調整することにより、前傾姿勢が補正されて水平状態になると、傾きセンサ１２０がその旨の検出結果を制御部に出力する。制御部はその検出結果を受けてＬＥＤ表示部１３６を消灯させる。
【００３６】
（傾き角度の通知手法）
制御部は、傾きセンサ１２０の検出結果を受け取ると、その検出角度をＬＥＤ表示部の点灯パターンで表す。例えば、プロジェクタ１００の傾き角度が５°以内であればＬＥＤ表示部を点滅表示させ、傾き角度が５°を超えているときは点灯させたままにする。
【００３７】
なお、傾き方向と角度の双方を通知するのではなく、例えば傾き方向のみをＬＥＤ表示部の点灯で通知するように構成してもよい。
また、傾き方向と角度を通知することに代えて、傾きを補正すべき方向や角度を通知するようにしてもよい。
【００３８】
本実施の形態２では、ＬＥＤ表示部を用いて傾き方向を表示したが、その他の単一方向を表示する手段を用いて、傾き方向を表示することもできる。例えば、電光式の方向表示器などを用いることも可能である。
【００３９】
以上のように、本実施の形態２に係るプロジェクタ１００では、操作部１３０が備える方向操作キーにＬＥＤ表示部を配置しており、制御部は、傾きセンサ１２０の検出結果に対応した方向のＬＥＤ表示部を点灯させる。
そのため、ユーザはプロジェクタ１００の傾きを方向キーの操作方向と対応付けて直感的かつ容易に把握することができる。
【００４０】
また、本実施の形態２によれば、ＬＥＤ表示部の点灯パターンにより、ユーザはプロジェクタ１００の傾き角度を容易に把握することができる。また、ＬＥＤ表示部の点灯方向と併せて、傾き方向と角度の双方を即座に把握することができる。
【００４１】
また、本実施の形態２によれば、ＬＥＤ表示部を用いてプロジェクタ１００の傾き角度を通知するので、傾き角度を通知するために投射部１１０を起動する必要がない。
特に、投射部１１０に放電ランプのような比較的長い起動時間を要する構成部材を用いる場合は、投射映像上で傾き角度を表示するまでに多くの時間を要してしまう。
この点、ＬＥＤ表示部は短時間で点灯させることができる。
例えば、プロジェクタ１００の電源をＯＮしたとき、制御部は投射部１１０を起動する前に傾きセンサ１２０の検出結果を取得してＬＥＤ表示部で通知するように構成する。
ユーザは、スクリーンに映像を投射する前にプロジェクタ１００の傾きをあらかじめ調整しておくことができる。
【００４２】
また、本実施の形態２によれば、消費電力の比較的少ないＬＥＤ表示部を用いてプロジェクタ１００の傾き角度を通知するので、省エネの観点からも有利である。
【００４３】
また、本実施の形態２によれば、従来のプロジェクタが備えている上下左右キーにＬＥＤ表示部と周辺回路等の部品を追加するのみで、傾き通知手段を構成することができる。
そのため、傾き通知手段専用に特別な部品を用いる必要がなく、部品点数が少なくて済み、コスト面で有利である。
【００４４】
実施の形態３．
本発明の実施の形態３では、実施の形態２で説明した構成の下、ＬＥＤ表示部の点灯パターンを定義する具体的な手法と構成例を説明する。なお、本実施の形態３に係るプロジェクタ１００は、例えばＨＤＤ（Ｈａｒｄ  Ｄｉｓｋ  Ｄｒｉｖｅ）などで構成される記憶部を備えるものとする。
また、ＬＥＤ表示部は、傾きを補正すべき方向と角度を通知するように構成されているものとする。
【００４５】
図４は、記憶部が格納している左右キー点灯パターンテーブルの構成とデータ例を示す図である。
左右キー点灯パターンテーブルは、プロジェクタ１００の傾きと左右キーのＬＥＤ表示部の点灯パターンとの対応関係を表すデータを保持するテーブルであり、「左右方向傾き」列、「左右キーＬＥＤ点灯状態」列を有する。
【００４６】
「左右方向傾き」列には、プロジェクタ１００の左右方向の傾き角度を表す数値が格納されている。
「左右キーＬＥＤ点灯状態」列には、プロジェクタ１００の傾きが「左右方向傾き」列の値で示される数値であるときの、ＬＥＤ表示部１３７と１３８の点灯パターンを表すデータが格納されている。
【００４７】
図４のデータ例では、例えば１行目のデータによれば、プロジェクタ１００が右を下向きにする方向（右傾方向）に５°超傾いているときは、左キー１３２が備えるＬＥＤ表示部１３７を常時点灯状態にすべきことが分かる。
同様に、４行目のデータによれば、プロジェクタ１００が左を下向きにする方向（左傾方向）に２°以上５°未満傾いているときは、右キー１３３が備えるＬＥＤ表示部１３８を点滅表示状態にすべきことが分かる。
【００４８】
ユーザは、図４で示すようなＬＥＤ表示部の点灯パターンを見ると、プロジェクタ１００の左右の傾き方向と角度を即座に把握することができる。また、傾きを補正すべき方向と角度をＬＥＤ表示により示唆されているので、次に行うべきアクションを容易に把握することができる。
例えば、右キー１３３が備えるＬＥＤ表示部１３８が点滅している状態は、プロジェクタ１００を右方向にわずかに傾き補正するべきであることを示唆していることになる。即ち、ユーザは、プロジェクタ１００がわずかに左傾していることを即座に把握することができる。
【００４９】
図５は、記憶部が格納している上下キー点灯パターンテーブルの構成とデータ例を示す図である。
上下キー点灯パターンテーブルは、プロジェクタ１００の傾きと上下キーのＬＥＤ表示部の点灯パターンとの対応関係を表すデータを保持するテーブルであり、「前後方向傾き」列、「上下キーＬＥＤ点灯状態」列を有する。
【００５０】
「前後方向傾き」列には、プロジェクタ１００の上下方向の傾き角度を表す数値が格納されている。
「上下キーＬＥＤ点灯状態」列には、プロジェクタ１００の傾きが「上下方向傾き」列の値で示される数値であるときの、ＬＥＤ表示部１３６と１３９の点灯パターンを表すデータが格納されている。
【００５１】
図５のデータ例では、例えば１行目のデータによれば、プロジェクタ１００が前を下向きにする方向（前傾方向）に５°超傾いているときは、下キー１３４が備えるＬＥＤ表示部１３９を常時点灯状態にすべきことが分かる。
同様に、４行目のデータによれば、プロジェクタ１００が後を下向きにする方向（後傾方向）に２°以上５°未満傾いているときは、上キー１３１が備えるＬＥＤ表示部１３６を点滅表示状態にすべきことが分かる。
【００５２】
ユーザは、図５で示すようなＬＥＤ表示部の点灯パターンを見ると、プロジェクタ１００の前後の傾き方向と角度を即座に把握することができる。また、傾きを補正すべき方向と角度をＬＥＤ表示により示唆されているので、次に行うべきアクションを容易に把握することができる。
例えば、上キー１３１が備えるＬＥＤ表示部１３６が点滅している状態は、プロジェクタ１００を前方向にわずかに傾き補正するべきであることを示唆していることになる。即ち、ユーザは、プロジェクタ１００がわずかに後傾していることを即座に把握することができる。
【００５３】
以上、ＬＥＤ表示部の点灯パターンを定義する具体的な手法と構成例を説明した。
なお、図４と図５で説明した各テーブルは、併用することができる。例えば、プロジェクタ１００が前傾方向と左傾方向に同時に傾いているときは、これらのテーブルを併用して、ＬＥＤ表示部１３８と１３９を同時に点灯させ、後ろ向きと右向きに傾きを補正すべき旨をユーザへ提示することができる。
【００５４】
なお、図４と図５ではテーブル形式で各データを格納した例を示したが、格納形式はこれに限られるものではなく、任意の形式を用いることができる。
【００５５】
以上のように、本実施の形態３に係るプロジェクタ１００は、ＬＥＤ表示部を用いてプロジェクタ１００の傾きを表示する際に、傾きを補正すべき方向とその程度を示唆するような点灯パターンを用いる。
そのため、ユーザは単にプロジェクタ１００の傾きを把握するのみならず、どのように傾きを補正すればよいかを即座に把握でき、ユーザにとって便宜である。
【００５６】
また、本実施の形態３によれば、ＬＥＤの点灯パターンでプロジェクタ１００の傾き角度を表すことができるので、傾き角度の数値を表示等するための手段を別途設ける必要がなく、部品点数削減などの観点から有利である。
また、ＬＥＤ表示部自体の情報表現能力はさほど高くないが、本実施の形態３では点灯パターンを工夫することによりこれを克服しているので、ＬＥＤ表示部のみで傾き角度という数値情報を通知することができる。
【００５７】
実施の形態４．
本発明の実施の形態４では、実施の形態３で説明したＬＥＤ表示部の点灯パターンをより簡易に構成した例を説明する。なお、本実施の形態４に係るプロジェクタ１００では、センターキー１３５もＬＥＤ表示部を備えているものとする。その他の構成は、実施の形態２または３と同様である。
【００５８】
図６は、記憶部が格納している上下左右キー点灯パターンテーブルの構成とデータ例を示す図である。
実施の形態３では、左右方向と前後方向の傾きに対応したＬＥＤ表示部の点灯パターンを個別に定義した例を説明したが、本実施の形態４では、この点灯パターンを図６のようにより簡易に構成した。
【００５９】
本実施の形態４では、プロジェクタ１００が前後左右いずれかの方向に２°以上傾いているときは、制御部はセンターキー１３５が備えるＬＥＤ表示部を点灯させる。
その他の傾き状態であるときは、制御部はセンターキー１３５が備えるＬＥＤ表示部を消灯させる。
【００６０】
この点灯パターンでは、プロジェクタ１００がいずれの方向に傾いているかを詳細に把握することはできないが、単に傾いているのかそうでないのかを把握すれば足りるような場合には、上述のような点灯パターンで十分である。
また、ＬＥＤ表示部の個数が１つのみでよいので、部品点数を削減してコストを抑えることもできる。
【００６１】
なお、本実施の形態４の構成は、単独で用いることもできるし、実施の形態１〜３で説明した構成と併用することもできることを付言しておく。
【００６２】
実施の形態５．
通常、プロジェクタ１００の設置角度は、スクリーン上の投射映像が歪んでさえいなければ、あまり意識されることはない。しかし、プロジェクタ１００の利用シーンによっては、設置角度が正確であることが求められる場合がある。例えば、以下のような場合が考えられる。
【００６３】
（１）壁面の角度やスクリーンのサイズ、位置などを厳密に計算した上で設計された環境下でプロジェクタ１００を利用する場合。
（２）複数のプロジェクタ１００を並列に用いてマルチスクリーン構成で利用する場合。
【００６４】
（１）の場合は、プロジェクタ１００の設置位置や角度があらかじめ想定済みであり、その位置や角度に正確に合わせてプロジェクタ１００を設置することが求められる。
（２）の場合は、各プロジェクタの設置角度が異なっていると、各投射映像がまちまちに台形状に歪み、投射映像同士が接する面が斜めに重なり合って画像の不整合が生じる。歪み量が僅かで単一スクリーン構成では気付きにくい場合でも、マルチスクリーン構成では、映像同士の接続面でその歪みが目立つ場合がある。
【００６５】
そこで、本発明の実施の形態５では、プロジェクタ１００の設置角度を指定入力し、傾きセンサ１２０の検出結果を用いて、プロジェクタ１００を正確にその角度で設置するための構成と動作例を説明する。
【００６６】
本実施の形態５に係るプロジェクタ１００は、プロジェクタ１００の設置角度を指定する手段を備える。例えば操作部１３０に数値入力を行うためのキー等を設けてもよいし、スクリーン上に数値入力キーを投射して方向操作キーで選択させるようにしてもよい。
その他の構成は実施の形態３と同様であるものとする。
【００６７】
図７は、記憶部が格納している左右キー点灯パターンテーブルの構成とデータ例を示す図である。本実施の形態５において、左右キー点灯パターンテーブルは、実施の形態３で説明した図４と同様の構成を備える。
ただし、「左右方向傾き」列が格納する値には、上述のプロジェクタ１００の設置角度の指定値が含まれる。
【００６８】
図７のデータ例は、ユーザが上述の設置角度入力手段を用いて、「プロジェクタ１００を左傾方向に１０°傾けて設置する」旨を指定入力した例を示す。
この指定角度は制御部に通知され、制御部は「左右方向傾き」列の数値にその指定角度の値を入れ込む。
これにより、左右のＬＥＤ表示部が消灯するのは、プロジェクタ１００の設置角度が左に１０°傾いている状態となるので、ユーザはプロジェクタ１００の設置角度を指定角度通りに調整することができる。
【００６９】
図８は、記憶部が格納している上下キー点灯パターンテーブルの構成とデータ例を示す図である。本実施の形態５において、上下キー点灯パターンテーブルは、実施の形態３で説明した図５と同様の構成を備える。
【００７０】
図８のデータ例は、ユーザが上述の設置角度入力手段を用いて、「プロジェクタ１００を後傾方向に１０°傾けて設置する」旨を指定入力した例を示す。
前後方向の傾きについても同様に、ユーザが指定入力した設置角度が制御部を介して「前後方向傾き」列の数値に格納される。
これにより、上下のＬＥＤ表示部が消灯するのは、プロジェクタ１００の設置角度が後ろに１０°傾いている状態となるので、ユーザはプロジェクタ１００の設置角度を指定角度通りに調整することができる。
【００７１】
本実施の形態５では、図４〜図５を引用する関係上、実施の形態３で説明した構成を前提に説明したが、実施の形態１〜２で説明した構成において、同様にプロジェクタ１００の設置角度を指定入力する手段を設け、傾きセンサ１２０の検出結果をその指定値で補正するようにしてもよい。この構成の場合も、本実施の形態５と同様の効果を発揮することができる。
【００７２】
以上のように、本実施の形態５に係るプロジェクタ１００は、設置角度を指定入力する手段を備え、制御部はその指定角度を用いて傾きセンサ１２０の検出結果を補正し、補正後の結果を通知する。
そのため、ユーザはプロジェクタ１００の設置角度を指定角度に正確に合わせることができる。
【００７３】
実施の形態６．
図９は、本発明に係るプロジェクタを２台用いてマルチスクリーンを構成した例を示す図である。
各プロジェクタは、実施の形態１〜５で説明した構成を備える。以下では、説明の便宜上、実施の形態２〜３で説明したＬＥＤ表示部を備える構成を前提とするが、これに限られるものではない。また、プロジェクタの台数は任意でよい。
【００７４】
図９において、一方のプロジェクタのみ設置角度が水平面に対して傾いており、投射映像が台形状に歪んでいる。また、上キー１３１が備えるＬＥＤ表示部１３６が点灯し、その旨を表示している。
ユーザは、この表示に基づき当該プロジェクタの設置角度を調整する。ＬＥＤ表示部１３６が消灯した時点で、台形歪みは解消されるものと想定される。
【００７５】
なお、プロジェクタの設置環境の制約から、プロジェクタを水平に設置することができないような場合には、実施の形態５で説明したように設置角度を指定する構成を用いるとよい。
この場合、双方のプロジェクタに入力する指定角度を揃えておけば、各プロジェクタの設置角度を等しくすることができるので、双方の投射映像の形状やサイズを等しく保つことができる。仮に投射映像に台形歪みが生じている場合でも、各プロジェクタの設置角度は等しいので、各プロジェクタの台形歪み補正量は等しくなり、容易に補正を行うことができる。
【００７６】
以上のように、本実施の形態６によれば、実施の形態１〜６で説明したプロジェクタ１００を複数台用いて、各投射映像の形状やサイズを正確に一致させたマルチスクリーンシステムを構成することができる。
【図面の簡単な説明】
【００７７】
【図１】実施の形態１に係るプロジェクタ１００の構成図である。
【図２】投射部１１０が投射する映像の一例である。
【図３】操作入力部１３０の構成例を示す図である。
【図４】左右キー点灯パターンテーブルの構成とデータ例を示す図である。
【図５】上下キー点灯パターンテーブルの構成とデータ例を示す図である。
【図６】上下左右キー点灯パターンテーブルの構成とデータ例を示す図である。
【図７】左右キー点灯パターンテーブルの構成とデータ例を示す図である。
【図８】上下キー点灯パターンテーブルの構成とデータ例を示す図である。
【図９】プロジェクタ２台でマルチスクリーンを構成した例を示す図である。
【符号の説明】
【００７８】
１００  プロジェクタ、１１０  投射部、１２０  傾きセンサ、１３０  操作入力部、１３１  上キー、１３２  左キー、１３３  右キー、１３４  下キー、１３５  センターキー、１３６〜１３９  ＬＥＤ表示部、１４０ａ〜１４０ｃ  脚部、１５０  制御部。
【図１】
2010066584.tif 000003
【図２】
2010066584.tif 000004
【図３】
2010066584.tif 000005
【図４】
2010066584.tif 000006
【図５】
2010066584.tif 000007
【図６】
2010066584.tif 000008
【図７】
2010066584.tif 000009
【図８】
2010066584.tif 000010
【図９】
2010066584.tif 000011